(57)【特許請求の範囲】
【請求項１】
替芯を収納するケース本体と、このケース本体の開口部近傍の側壁に着脱自在に取り付けられる蓋体とからなる替芯ケースにおいて、
前記蓋体は天壁と、側壁と、ケース本体の開口部の近傍側壁が挿入される開口部とを備え、
前記天壁には、前記蓋体をケース本体に装着した状態において、前記ケース本体の開口部の側壁内面に対応する位置の、替え芯の直径以下の内側の位置から、蓋体の側壁に至る間に、替芯の直径以上の空気通路が形成され、
かつ、前記空気通路は、蓋体の中心線に対して上下に対称に形成され、前記蓋体の上下に形成された空気通路は、天壁の外面に形成された凹部によって繋がっていることを特徴とする替芯ケース。
【請求項２】
替芯を収納するケース本体と、
このケース本体の開口部近傍の側壁に着脱自在に取り付けられる蓋体とからなる替芯ケースにおいて、
前記蓋体は天壁と、側壁と、ケース本体の開口部の近傍側壁が挿入される開口部と、天壁から前記開口部へ延設された内側壁と、前記内側壁と側壁とによって形成され、前記天壁から開口部に延設された空気通路とを備え、
前記内側壁は、蓋体をケース本体に装着した状態において、前記ケース本体の開口部の側壁の近傍まで延設され、前記内側壁とケース本体の開口部近傍の側壁とによって形成される間隙の高さが、替芯の直径以下になされ、
かつ、前記空気通路は、蓋体の中心線に対して上下に対称に形成され、前記蓋体の上下に形成された空気通路は、天壁の外面に形成された凹部によって繋がっていることを特徴とする替芯ケース。
【請求項３】
前記空気通路は、蓋体の一側面から他側面に渡って連続した矩形状のスリットとして形成されていることを特徴とする請求項１又は請求項２に記載された替芯ケース。
【発明の詳細な説明】
【０００１】
【発明の属する技術分野】
本発明は、シャープペンシル用の替芯ケースに関するものであり、詳しくは、幼児等が誤飲した場合にも通気を確保することができ、かつ、替芯が通気するための孔から出てしまうことを防止した替芯ケースに関するものである。
【０００２】
【従来の技術】
一般に、筆記具等は家庭内の随所に不用意に置かれる傾向があり、幼児等の好適な遊び道具となる場合がある。この場合、幼児等がこれを口にして誤って飲み込む等の事故が発生し、最悪の場合には窒息するなどの危険があった。
そこで、本件出願人は、例えば実開平１−１６９３８４号公報、あるいは実開平１−１６９３８６号公報等に開示されているように、幼児等が誤ってボールペン等のキャップである蓋体を飲み込んだとしても、最悪の窒息に至る危険を避けるため、蓋体の上面に空気通路となる開口部を形成したものを提案している。
【０００３】
【発明が解決しようとする課題】
ところが、シャープペンシルの替芯が収納される替芯ケースについては、空気流路となる開口部を形成したものはなく、幼児等が誤って替芯ケースの蓋体を飲み込んだ場合、窒息に至る危険があった。この危険を回避する方法として、この替芯ケースの蓋体においても、前記筆記具の場合と同様に、空気通路となる開口部を形成することが考えられる。
図５に替芯ケ−スの蓋体に開口部であるスリットを形成した場合を示し、それが有する技術的課題について説明する。
図に示すように、替芯ケ−ス１０は、蓋体１１とケ−ス本体１２とから構成されている。また、蓋体１１には左側壁１１ｂから右側壁１１ｃに至るスリット１１ａが形成されている。
【０００４】
ここで、図５（ｂ）に示すように、替芯ケース１０の蓋体１１にスリット１１ａの高さＨを決定する必要があるが、この高さＨを替芯Ｌの直径Ｄ以上に形成した場合には、替芯ケース１０内に収納した替芯Ｌがスリット１１ａから出てしまうという技術的課題があった。
また一方、前記スリット１１ａを替芯Ｌの直径Ｄ以下に形成した場合には、幼児等が誤って替芯ケースの蓋体を飲み込んだ際、十分な空気通路を確保することができず、最悪の窒息に至るという危険を回避できないという技術的課題があった。
【０００５】
本発明は上記技術的課題を解決するためになされたものであり、幼児等が蓋体を誤飲した場合にも、十分な空気通路を確保し、窒息に至る危険性を回避すると共に、かつ替芯が替芯ケース内から出てしまうことを防止した替芯ケースを提供することを目的とする。
【０００６】
【課題を解決するための手段】
上記課題を解決するためになされた本発明は、替芯を収納するケース本体と、このケース本体の開口部近傍の側壁に着脱自在に取り付けられる蓋体とからなる替芯ケースにおいて、前記蓋体は天壁と、側壁と、ケース本体の開口部の近傍側壁が挿入される開口部とを備え、前記天壁には、前記蓋体をケース本体に装着した状態において、前記ケース本体の開口部の側壁内面に対応する位置の、替え芯の直径以下の内側の位置から、蓋体の側壁に至る間に、替芯の直径以上の空気通路が形成され、かつ、前記空気通路は、蓋体の中心線に対して上下に対称に形成され、前記蓋体の上下に形成された空気通路は、天壁の外面に形成された凹部によって繋がっていることを特徴とする。
【０００７】
以上のように、本発明にかかる替芯ケ−スの天壁には、蓋体をケース本体に装着した状態において、前記ケース本体の開口部の側壁内面に対応する位置の、替芯の直径以下の内側の位置から、蓋体の側壁に至る間に、替芯の直径以上の空気通路が形成されているため、替芯ケースの内部に収納した替芯は外部に出ることはない。
しかも、替芯の直径以上の高さを有する空気通路を形成することができるため、幼児等が誤飲した場合にも十分な通気を確保することができる。
【０００８】
また、上記課題を解決するためになされた本発明は、替芯を収納するケース本体と、このケース本体の開口部近傍の側壁に着脱自在に取り付けられる蓋体とからなる替芯ケースにおいて、前記蓋体は天壁と、側壁と、ケース本体の開口部の近傍側壁が挿入される開口部と、天壁から前記開口部へ延設された内側壁と、前記内側壁と側壁とによって形成され、前記天壁から開口部に延設された空気通路とを備え、前記内側壁は、蓋体をケース本体に装着した状態において、前記ケース本体の開口部の側壁の近傍まで延設され、前記内側壁とケース本体の開口部近傍の側壁とによって形成される間隙の高さが、替芯の直径以下になされ、かつ、前記空気通路は、蓋体の中心線に対して上下に対称に形成され、前記蓋体の上下に形成された空気通路は、天壁の外面に形成された凹部によって繋がっていることを特徴とする。
【０００９】
以上のように、本発明にかかる替芯ケ−スには、蓋体をケース本体に装着した状態において、前記ケース本体の開口部の側壁の近傍まで延設された内側壁を備え、内側壁とケース本体の側壁とによって、前記スリットの一部が閉塞されるため、ケース本体に収納した替芯が外部に突出することはない。
しかも、替芯の直径以上の高さを有する空気通路を形成することができるため、幼児等が誤飲した場合にも十分な通気を確保することができる。
【００１０】
特に、前記空気通路は蓋体の中心線に対して上下に対称に形成され、前記蓋体の上下に形成された空気通路は、天壁の外面に形成された凹部によって繋がっていることが望ましい。
このように空気通路が天壁の外面に形成された凹部によって繋がっているため、幼児等が誤飲した際、凹部が形成されていない場合と比べて、蓋体の上下に配された両方の空気通路から通気を確保できる可能性が高い。また、前記空気通路は、蓋体の一側面から他側面（左側面から右側面）に渡って連続した矩形状のスリットとして形成されていることが望ましい。このように蓋体の一側面から他側面（左側面から右側面）に渡ってスリットが形成されているため、十分な空気通路を確保することができる。
【００１１】
以上のように、前記スリットの高さを替え芯の直径以上に形成しても、替芯ケースの内部に収納した替芯Ｌは外部に出ることはない。そして、このような替芯ケースの蓋体を、幼児等が誤って誤飲する事態が発生しても、前記蓋体には空気通路となるスリットが十分な大きさで形成されているため、最悪の窒息に至る危険性を回避することができる。
【００１２】
【発明の実施の形態】
以下、本発明にかかる第１の実施形態を図１及び図２を参照して詳しく説明する。なお、以下に説明する替芯ケースは、単に一実施形態に過ぎず、本発明を何ら限定するものではない。なお、図１（ａ）は本発明にかかる第１の実施形態を示す断面図であって（ｃ）に示すＡ−Ａ断面図、（ｂ）は（ｃ）に示すＢ−Ｂ断面図、（ｃ）は第１の実施形態を示す側面図である。また図２は、図１に示す断面図の要部拡大図である。
【００１３】
図において符号１は替芯ケース１を示し、この替芯ケース１は、替芯Ｌを収納するケース本体２と、このケース本体２の開口部２ａの側壁２ｂに取り付けられる蓋体３とから構成されている。
詳しく説明すれば、ケース本体２は、内部に替芯４を収納する収納部２ｃを有する箱体であり、この箱体の長手方向の端部には替芯Ｌを出し入れするための開口部２ａが形成されている。また、この開口部２ａの近傍側壁２ｂの外面には、前記蓋体３を着脱自在に取付けるための凸部からなる係合部２ｄが形成されている。この係合部の凸部２ｄは、蓋体３の側壁の内面に形成された凸部３ａと係合するように構成されている。
【００１４】
また、蓋体３は、天壁３ｂ及び側壁３ｃから構成され、その一端部はケース本体２の開口部２ａの近傍側壁２ｂが挿入される開口部３ｄが形成されている。前記天壁３ｂは、図１（ａ）に示すように、半円形状の曲面部として形成されている。
更に、図２に示すように、前記天壁３ｂには、蓋体３をケース本体２に装着した状態において、前記ケース本体２の開口部２ａの側壁内面に対応する位置の、替芯の直径Ｄ以下の、内側の位置から、蓋体３の側壁３ｃに至る高さＨを有するスリット３ｅが形成されている。
【００１５】
このように前記ケース本体２の開口部２ａの側壁内面に対応する位置の、替芯の直径Ｄ以下の、内側の位置から、スリット３ｅが形成されているため、ケ−ス本体２の内部に収納した替芯Ｌが、蓋体３の天壁面に当たっても、前記スリット３ｅから前記替芯Ｌが蓋体３から突出することはない。
【００１６】
また、前記スリット３ｅは蓋体３の中心線に対して上下に対称に形成され、前記スリット３ｅは蓋体３の一側面から他側面（左側面から右側面）に渡って連続した矩形状の貫通した孔として形成されている。
また、蓋体３の上下に形成されたこれらスリット３ｅは、天壁３ｂの外面に形成された凹部３ｆによって 繋がっている。
このようにスリット３ｅが天壁の外面に形成された凹部によって繋がっているため、幼児等が誤飲した際、凹部が形成されていない場合と比べて、蓋体の上下に配された両方の空気通路から通気を確保できる可能性が高い。更に、前記したように側壁３ｃの内側には、ケース本体２の凸部２ｄと係合する 凸部３ａが形成されている。
【００１７】
以上のように構成された、ケース本体２の開口部２ａ近傍の側壁２ｂを、蓋体３の開口部３ｅの内部に挿入し、凸部２ｄと凸部３ａを係合させることによって、ケ−ス本体２と蓋体３を、一体の替芯ケース１とすることができる。
このとき、前記天壁３ｂには、蓋体３をケース本体２に装着した状態において、前記ケース本体２の開口部２ａの側壁内面に対応する位置の、替芯の直径Ｄ以下の内側の位置から、スリット３ｅが形成されているため、前記スリット３ｅの高さＨを替芯の直径以上に形成しても、替芯ケース１の内部に収納した替芯Ｌは、蓋体３の天壁３ｂに当たるため、外部に出ることはない。
そして、このような替芯ケース１の蓋体を、幼児等が誤って誤飲する事態が発生しても、前記蓋体３には空気通路となるスリット３ｅが形成されているため、最悪の窒息に至る危険性を回避することができる。
【００１８】
なお、この実施形態にあっては、左側壁から右側壁までスリット３ｅを形成したが、十分な空気通路を確保できれば、両方の側壁まで延設したスリット３ｅを形成する必要はない。
また、この実施形態では、ケース本体２の開口部２ａの側壁内面に対応する位置の、替芯Ｌの直径Ｄ以下の、内側の位置から、スリット３ｅを形成したが、十分な空気通路を確保できれば、その位置よりも蓋体の側壁側の位置からスリット３ｅを形成しても良い。
更に、この実施形態では、天壁を曲面部として形成した場合を示したが、特にこれに限定されるものではなく、平面部として形成してもよい。
【００１９】
次に、本発明にかかる替芯ケースの第２の実施形態を図３、図４を用いて説明する。
図において、符号１は本発明の他の実施形態である替芯ケースを示し、この替芯ケース１は、上述したケース本体２と、このケース本体２に着脱自在に取付けられる蓋体３とにより構成されている。ここで、ケース本体２は前記した実施形態と同一の構成を有するため、その構成の説明は省略する。
【００２０】
また前記蓋体３は、図３（ａ）、図４に示すように半円形状の曲面部を有する天壁３ｂ及び側壁３ｃから構成され、その一端部はケース本体２の開口部２ａの近傍側壁２ｂが挿入される開口部３ｄが形成されている。
更に、前記天壁３ｂには、蓋体３をケース本体２に装着した状態において、前記ケース本体２の開口部２ａの側壁内面に対応する位置の、替芯Ｌの直径Ｄ以下の、内側の位置から、蓋体３の側壁３ｃに至る高さＨを有するスリット３ｅが形成されている。
このスリット３ｅは天壁から開口部３ｄに延設された内側壁３ｇによって形成され、蓋体３の中心線に対して上下対称の位置に形成されている。
【００２１】
前記スリット３ｅを形成する内側壁３ｇは、蓋体３をケース本体２に装着した状態において、前記ケース本体２の開口部２ａの側壁の近傍まで延設され、前記内側壁３ｇの外側面とケ−ス本体２の開口部近傍の側壁内側面とによって形成される隙間の高さｈが替芯Ｌの直径Ｄ以下になるように構成されている。
なお、図４中の仮想線で示された内側壁３ｇは、ケ−ス本体の側壁２ｂの内側面と内側壁３ｇの外側面とによって形成される隙間ｈが、替芯Ｌの直径Ｄと略同等に形成されている場合を示している。また図４中の実線で示された内側壁３ｇの内側面は、ケ−ス本体の側壁２ｂの外側面と対応する位置、すなわち、ケ−ス本体の側壁２ｂと内側壁３ｇとによって形成される隙間ｈが、ｈ＝０に形成されている場合を示している。
【００２２】
このようにスリット３ｅが形成されているため、替芯ケース１内に収納された替芯は前記内側壁３ｇに当たり、外部に出ることはない。なお、好ましくはケ−ス本体２の側壁２ｂの内側面と内側壁３ｇの外側面とが同一面上に位置するように配するのが好ましい。すなわち、隙間の高さがｈ＝０となるように構成するのが好ましい。
【００２３】
以上のように構成されたケース本体２の開口部２ａ近傍の側壁２ｂを蓋体３の開口部３ｅの内部に挿入し、凸部２ｄと凸部３ａを係合させることによって、ケ−ス本体２と蓋体３を、一体の替芯ケース１とすることができる。
このとき、前記天壁３ｂには、蓋体３をケース本体２に装着した状態において、前記ケース本体２の開口部２ａの側壁内面に対応する位置の、替芯Ｌの直径Ｄ以下の内側の位置から、スリット３ｅが形成されているため、前記スリット３ｅの高さＨを替芯Ｌの直径Ｄ以上に形成しても、替芯ケース１の内部に収納した替芯Ｌは外部に突出することはない。
【００２４】
しかも、蓋体３をケース本体２に装着した状態において、前記ケース本体２の開口部２ａの側壁の近傍まで内側壁３ｇが設けられているため、ケース本体２の側壁２ｂとによって、前記スリット３ｅの一部が閉塞されるため、ケース本体２に収納した替芯Ｌが外部に突出することはない。
そして、このような替芯ケース１の蓋体がケース本体２から取り外されると、スリット３ｅの閉塞状態が開放されるため、幼児等が誤飲する事態が発生した場合でも、十分な空気通路を確保することができるため、最悪の窒息に至る危険性を回避することができる。
【００２５】
なお、上記第１、第２の実施形態において、矩形形状のケ−ス本体及び蓋体を図示したが、特にこれに限定されることはなく、円形形状、楕円形状、三角形状、多角形状等であっても良い。
また、上記第１、第２実施形態において、蓋体にスリットを形成したが、この他に替芯の直径以下の大きさを有する空気通路を更に形成しても良い。
更に、上記第１、第２実施形態において、蓋体にスリットを矩形形状に形成したが、この形状に特に限定されるものではなく、楕円形状等の形状を有する空気通路としても良い。
【００２６】
【発明の効果】
本発明は、以上のように構成されているため、幼児等が蓋体を誤飲した場合にも、蓋体には替芯の直径以上の空気通路が形成されているため、十分な通気を確保するため、最悪の窒息に至る危険性を回避できる。
また、蓋体に替芯の直径以上の空気通路が形成されているにもかかわらず、替芯ケース内に収納した替芯が蓋体に形成した空気通路から出てしまうことを防止することができる。
【図面の簡単な説明】
【図１】図１（ａ）は本発明にかかる第１の実施形態を示す断面図であって（ｃ）に示すＡ−Ａ断面図、（ｂ）は（ｃ）に示すＢ−Ｂ断面図、（ｃ）は第１の実施形態を示す側面図である。
【図２】図２は図１に示す断面図の要部拡大図である。
【図３】図３（ａ）は本発明にかかる第２の実施形態を示す断面図であって、（ｂ）に示すＣ−Ｃ断面図、（ｂ）は第２の実施形態を示す側面図である。
【図４】図４は図３に示す断面図の要部拡大図である。
【図５】図５（ａ）は従来の替芯ケ−スを示す断面図であって、（ｂ）はその側面図である。
【符号の説明】
１    替芯ケース
２    ケース本体
２ａ  開口部
２ｂ  側壁
２ｃ  収納部
２ｄ  係合部
３    蓋体
３ａ  係合部
３ｂ  天壁
３ｃ  側壁部
３ｄ  開口部
３ｅ  スリット
３ｆ  凹部
３ｇ  内側壁
Ｌ    替芯
Ｄ    替芯直径
Ｈ    スリット高さ
ｈ    隙間高さ
【図１】
0003865097.tif 000002
【図２】
0003865097.tif 000003
【図３】
0003865097.tif 000004
【図４】
0003865097.tif 000005
【図５】
0003865097.tif 000006